(57)【要約】  本開示は、光路に配置された拡大レンズと、光路に配置された反射インバータと、光路に配置された接眼レンズ又はアイピースとを含む眼科手術用顕微鏡に関する。反射インバータは、シュミット・ペシャン型プリズム又は一対の反転レンズ及びリダクションレンズを含み得る。
2021507292.tif 000002
【特許請求の範囲】
【請求項１】
光路に配置された拡大レンズと、
前記光路に配置された反射インバータと、
前記光路に配置された接眼レンズ又はアイピースと
を含む眼科手術用顕微鏡。
【請求項２】
前記眼科手術用顕微鏡が、前記反射インバータを欠く他の同一の眼科手術用顕微鏡に等しいか又はそれより５％未満長いスタック高さを有する、請求項１に記載の眼科手術用顕微鏡。
【請求項３】
前記反射インバータが、前記光路にシュミット・ペシャン型プリズムを含み、前記シュミット・ペシャン型プリズムは、前記光路に沿って移動する画像を反転させるように動作可能である、請求項１に記載の眼科手術用顕微鏡。
【請求項４】
前記シュミット・ペシャン型プリズムが、前記シュミット・ペシャン型プリズムの外側の前記光路の長さを少なくとも２０％短縮し得る、請求項３に記載の眼科手術用顕微鏡。
【請求項５】
前記シュミット・ペシャン型プリズムが、可視波長内の光を、それぞれ９０°以下の内部入射角で内部反射するように動作可能である、請求項３に記載の眼科手術用顕微鏡。
【請求項６】
前記シュミット・ペシャン型プリズムが、可視波長内の入射光の少なくとも９８％の内部反射を示すように動作可能である、請求項３に記載の眼科手術用顕微鏡。
【請求項７】
前記シュミット・ペシャン型プリズムが、前記眼科手術用顕微鏡の視野の少なくとも８０％の内部反射を示す、請求項３に記載の眼科手術用顕微鏡。
【請求項８】
前記シュミット・ペシャン型プリズムが、光の可視波長に対して透過性があり且つ少なくとも４０のアッベ数を有する材料から作製される、請求項３に記載の眼科手術用顕微鏡。
【請求項９】
前記シュミット・ペシャン型プリズムが、光の可視波長に対して透過性があり且つ少なくとも１．４０の反射指数を有する材料から作製される、請求項３に記載の眼科手術用顕微鏡。
【請求項１０】
前記反射インバータが、前記光路に沿って移動する可視波長内の任意の光の偏光を維持するように動作可能である、請求項３に記載の眼科手術用顕微鏡。
【請求項１１】
前記眼科手術用顕微鏡が前記光路にリダクションレンズを含まない、請求項３に記載の眼科手術用顕微鏡。
【請求項１２】
前記反射インバータが、
第１の反射面及び第２の反射面を有し、その両方が前記光路内にある直角反射器と、
前記光路内の第１の反転レンズと、
前記光路内の第２の反転レンズと、
前記光路内の第１の反射器と、
前記光路内の第２の反射器を含み、
前記直角反射器の前記第１の反射面は、前記光路に沿って移動する光を反射し、それにより前記光が前記第１の反転レンズに当たり、前記第１の反転レンズによって透過され、次に前記第１の反射器に当たり、第１の入射角で反射されるように動作可能であり、
前記第１の反射器は、前記光路に沿って前記第１の入射角に対して９０°の角度で光を反射し、それにより前記光が次に第２の入射角で前記第２の反射器に当たるように動作可能であり、
前記第２の反射器は、前記光路に沿って前記第２の入射角に対して９０°の角度で光を反射し、それにより前記光が次に前記第２の反転レンズに当たり、前記第２の反転レンズによって透過され、次に前記直角反射器の前記第２の反射面に当たるように動作可能であり、
前記直角反射器の前記第２の反射面は、前記光が前記第１の反射面に当たった方向と同一直線上にある方向に前記光路に沿って前記光を反射するように動作可能であり、
前記反射インバータは、前記光路に沿って移動する画像を反転させるように動作可能である、
請求項１に記載の眼科手術用顕微鏡。
【請求項１３】
前記直角反射器が直角プリズムミラーを含む、請求項１２に記載の眼科手術用顕微鏡。
【請求項１４】
前記直角反射器の前記第１の反射面と前記第２の反射面が両方とも、可視波長内の入射光の少なくとも９０％を反射するように動作可能である、請求項１２に記載の眼科手術用顕微鏡。
【請求項１５】
前記第１の反転レンズ及び前記第２の反転レンズが両方とも、光の可視波長に対して透過性があり且つ少なくとも４０のアッベ数を有する材料から作製される、請求項１２に記載の眼科手術用顕微鏡。
【請求項１６】
前記第１の反転レンズ及び前記第２の反転レンズが両方とも、光の可視波長に対して透過性があり且つ少なくとも１．４０の反射指数を有する材料から作製される、請求項１２に記載の眼科手術用顕微鏡。
【請求項１７】
前記光路を少なくとも２０％短縮するように動作可能であるリダクションレンズを前記光路にさらに含む、請求項１２に記載の眼科手術用顕微鏡。
【請求項１８】
前記リダクションレンズが、光の可視波長に対して透過性があり且つ少なくとも４０のアッベ数を有する材料から作製される、請求項１７に記載の眼科手術用顕微鏡。
【請求項１９】
前記リダクションレンズが、光の可視波長に対して透過性があり且つ少なくとも１．４０の反射指数を有する材料から作製される、請求項１７に記載の眼科手術用顕微鏡。
【請求項２０】
前記リダクションレンズが、両凹レンズ、両凸レンズ、凸凹レンズ、平凹レンズ、平凸レンズ、正／負のメニスカスレンズ、非球面レンズ、収束レンズ、発散レンズ、液晶レンズ、回折レンズ、及びそれらの任意の組み合わせを含む、請求項１７に記載の眼科手術用顕微鏡。
【発明の詳細な説明】
【技術分野】
【０００１】
本開示は眼科手術に関し、より具体的には、眼、特に眼科手術を受けている眼の画像を反転させるための反射インバータを含む眼科手術用顕微鏡に関する。
【背景技術】
【０００２】
眼科手術は、毎年何万人もの患者の視力を守り、改善する。しかしながら、眼の小さな変化さえに対する視力の感受性と、多くの眼の構造の微細でデリケートな性質を考えると、眼科手術は実施が困難であり、小さな又はまれな手術ミスの減少或いは外科技術の精度のささやかな改善さえもが、手術後の患者の視力に大きな違いをもたらし得る。
【０００３】
眼科手術の一種である硝子体網膜手術は、硝子体液や網膜など、眼の内側部分が関与する様々なデリケートな処置を含む。様々な硝子体網膜手術処置が、時にはレーザを使用して、とりわけ、黄斑前膜、糖尿病性網膜症、硝子体出血、黄斑円孔、網膜剥離、及び白内障手術の合併症を含む多くの眼疾患の治療において視覚能力を改善するために用いられる。
【０００４】
硝子体網膜手術などの眼科手術中、眼科医は通常、手術中の眼の拡大画像を見るために手術用顕微鏡を使用する。使用する手術用顕微鏡と光学システムによっては、執刀医が見る拡大画像が、実際の眼と比べて反転する場合がある。例えば、眼は、拡大画像に表示されるとき、実際の眼と比較して、上下が逆になったり、左右が逆になったりする場合がある。次に、執刀医は眼の中で手術器具を適切に動かすために画像を精神的に修正しなければならず、それは手術結果に悪影響を及ぼす可能性がある。
【発明の概要】
【課題を解決するための手段】
【０００５】
本開示は、光路に配置された拡大レンズと、光路に配置された反射インバータと、光路に配置された接眼レンズ又はアイピースとを含む眼科手術用顕微鏡を提供する。
【０００６】
眼科手術用顕微鏡は、以下の特徴のいずれか、又は本明細書に記載された、図に示された、又はその両方の任意の他の特徴とさらに組み合わせることができ、それらの全ては、明確に相互に排他的でない限り、互いに組み合わせることもできる：
ｉ）眼科手術用顕微鏡は、反射インバータを欠く他の同一の眼科手術用顕微鏡に等しい又はそれより５％未満長いスタック高さを有し得る；
ｉｉ）反射インバータは、光路にシュミット・ペシャン型プリズムを含むことができ、シュミット・ペシャン型プリズムは、光路に沿って移動する画像を反転させるように動作可能であり得る；
ｉｉ−ａ）シュミット・ペシャン型プリズムは、シュミット・ペシャン型プリズムの外側の光路の長さを少なくとも２０％短縮し得る；
ｉｉ−ｂ）シュミット・ペシャン型プリズムは、可視波長内の光を、それぞれ９０°以下の内部入射角で内部反射するように動作可能であり得る；
ｉｉ−ｃ）シュミット・ペシャン型プリズムは、可視波長内の入射光の少なくとも９８％の内部反射を示すように動作可能であり得る；
ｉｉ−ｄ）シュミット・ペシャン型プリズムは、眼科手術用顕微鏡の視野の少なくとも８０％の内部反射を示し得る；
ｉｉ−ｅ）シュミット・ペシャン型プリズムは、光の可視波長に対して透過性があり且つ少なくとも４０のアッベ数を有する材料から作製することができる；
ｉｉ−ｆ）シュミット・ペシャン型プリズムは、光の可視波長に対して透過性があり且つ少なくとも１．４０の反射指数を有する材料から作製することができる；
ｉｉ−ｇ）反射インバータは、光路に沿って移動する可視波長内の任意の光の偏光を維持するように動作可能であり得る；
ｉｉ−ｈ）眼科手術用顕微鏡は、光路にリダクションレンズ（ｒｅｄｕｃｔｉｏｎ  ｌｅｎｓ）を含まない場合がある；
ｉｉｉ）反射インバータは、第１の反射面及び第２の反射面を有し、その両方が光路内にある直角反射器と、光路内の第１の反転レンズと、光路内の第２の反転レンズとを含み得、直角反射器の第１の反射面は、光路に沿って移動する光を反射し、それにより光が第１の反転レンズに当たり、第１の反転レンズによって透過され、次に第１の入射角で第１の反射器に当たるように動作可能であり得、第１の反射器は、光路に沿って第１の入射角に対して９０°の角度で光を反射し、それにより光が次に第２の入射角で第２の反射器に当たるように動作可能であり得、第２の反射器は、光路に沿って第２の入射角に対して９０°の角度で光を反射し、それにより光が次に第２の反転レンズに当たり、第２の反転レンズによって透過され、次に直角反射器の第２の反射面に当たるように動作可能であり得、直角反射器の第２の反射面は、光が第１の反射面に当たった方向と同一直線上にある方向に光路に沿って光を反射するように動作可能であり得、反射インバータは、光路に沿って移動する画像を反転させるように動作可能であり得る；
ｉｉｉ−ａ）直角反射器は直角プリズムミラーを含み得る；
ｉｉｉ−ｂ）直角反射器の第１の反射面と第２の反射面は両方とも、可視波長内の入射光の少なくとも９０％を反射するように動作可能であり得る；
ｉｉｉ−ｃ）第１の反転レンズ及び第２の反転レンズは両方とも、光の可視波長に対して透過性があり且つ少なくとも４０のアッベ数を有する材料から作製することができる；
ｉｉｉ−ｄ）第１の反転レンズ及び第２の反転レンズは両方とも、光の可視波長に対して透過性があり且つ少なくとも１．４０の反射指数を有する材料から作製することができる；
ｉｉｉ−ｅ）顕微鏡は、光路を少なくとも２０％短縮するように動作可能であり得るリダクションレンズを光路にさらに含み得る；
ｉｉｉ−ｆ）リダクションレンズは、光の可視波長に対して透過性があり且つ少なくとも４０のアッベ数を有する材料から作製することができる；
ｉｉｉ−ｇ）リダクションレンズは、光の可視波長に対して透過性があり且つ少なくとも１．４０の反射指数を有する材料から作製することができる；及び
ｉｉｉ−ｈ）リダクションレンズは、両凹レンズ、両凸レンズ、凸凹レンズ、平凹レンズ、平凸レンズ、正／負のメニスカスレンズ、非球面レンズ、収束レンズ、発散レンズ、液晶レンズ、回折レンズ、及びそれらの任意の組み合わせを含み得る。
【０００７】
本発明及びその特徴及び利点のより完全な理解のために、ここで、添付の図面と併せて、以下の記載を参照する。
【図面の簡単な説明】
【０００８】
【図１】インバータを含む眼科手術用顕微鏡の概略図である。
【図２】図１の眼科手術用顕微鏡での使用に適したシュミット・ペシャン型プリズム反射インバータの２つの眺めの概略図セットであり；内部プリズム角度は左側の図に示されている。
【図３】図１の眼科手術用顕微鏡での使用に適したミラー／反転レンズ反射インバータの概略図である。
【図４】ミラー／反転レンズ反射インバータ又は図３を使用して画像が反転される方法の概略図である。
【発明を実施するための形態】
【０００９】
本開示は、眼科手術に関し、より具体的には、反射インバータを含む眼科手術用顕微鏡に関する。そのような眼科手術用顕微鏡は、その眼と比較して反転されていない手術下の眼の拡大画像を提供することにより、眼科手術の難しさを低減し、且つ患者の手術結果を改善し得る。さらに、眼科手術用顕微鏡は、従来の眼科手術用顕微鏡に匹敵するスタック高さを有し得、したがって、手術用顕微鏡の人間工学的有用性を維持し得る。特に、反射インバータを備えた眼科手術用顕微鏡は、反射インバータを備えていない他の同一の眼科手術用顕微鏡に等しい、又はそれよりも５％未満長い、２％未満長い、若しくは１％未満長いスタック高さを有し得る。
【００１０】
光に関して特定の特性を有するものとして本明細書に記載される構成要素は、眼科手術用顕微鏡の使用中など、光の存在下にあるときにそれらの特性を示すように動作可能であることが理解されよう。
【００１１】
図１は、眼科手術用顕微鏡１００の概略図である。眼科手術用顕微鏡１００は、反射インバータ１３０を通って接眼レンズ又はアイピース１４０まで延びる光路１１０（点線）に配置される少なくとも１つの拡大レンズ１２０を含み、接眼レンズ又はアイピース１４０は眼科手術用顕微鏡を使用することによって見られる眼１０の一部に焦点が合うように選択的に配置可能であり得る。見るのに適した眼の部分には、網膜、網膜黄斑、小窩、中心窩、傍中心窩、周中心窩、視神経円板、眼杯、網膜のより多くの層の１つ、硝子体（ｖｉｔｒｅｏｕｓ）、硝子体（ｖｉｔｒｅｏｕｓ  ｂｏｄｙ）、又は手術器具が同様に見られるいずれかの部分を含み得る。
【００１２】
手術用顕微鏡１００を使用して眼１０を見る間、光路１１０はさらに、見られている眼１０まで延びる。眼科手術用顕微鏡１００はスタック高さ１５０も有し、スタック高さ１５０は光路１１０に概ね平行であり、使用する間、眼１０に最も近い光路１１０内の眼科手術用顕微鏡１００の部分から接眼レンズ又はアイピース１４０を介して延びることができる。スタック高さ１５０は、リダクションレンズのみを含み、反射インバータ１３０を欠いている同様の眼科手術用顕微鏡のそれに匹敵し得る。
【００１３】
インバータ１３０は反射インバータであるので、反射インバータ１３０によって透過される光は、反射インバータ１３０に入射する光と同一直線上であり且つ同じ方向の軸を有する。
【００１４】
手術器具も位置「Ａ」に存在した状態で直立して示されている眼１０の部分は、拡大レンズ１２０を通過すると、位置「Ｂ」に反転され得る。眼科医は「Ｂ」の位置で反転画像を見るときでさえ首尾よく手術し得るが、それを行うことは、さらなる精神的な処理を必要とし、手術時間を延ばすことになり得、或いは、十分とは言えない手術結果又はさらには悪い手術結果の可能性を増すことになり得る。したがって、図１に示すように、画像を反転させて位置「Ａ」に戻すために、眼科手術用顕微鏡１００に反射インバータ１３０を含めることができる。さらに、画像を反転し得る様々な器具が存在するが、眼科手術用顕微鏡１００の反射インバータ１３０は、スタック高さの許容できない増加も画像品質の損失もなしにそれを行う。
【００１５】
眼科手術用顕微鏡１００は、追加のレンズ、ダイクロイックミラーなどのミラー、デジタルカメラなどのデジタル光キャプチャ装置、デジタルディスプレイ、及びデジタル光キャプチャ装置からのデータを処理してそれをデジタルディスプレイに表示するか、又は接眼レンズ又はアイピース１４０を通して見られるディスプレイを含むディスプレイに画像を挿入するようにプログラムされたプロセッサなどの他の一般的な構成要素をさらに含み得る。接眼レンズ又はアイピース１４０は、ズームレンズ、液晶レンズ、又は任意の他の適切な可変焦点距離レンズ若しくは固定焦点距離レンズを含み得る。
【００１６】
眼科手術用顕微鏡１００はまた、眼１０に結合され得るコンタクトレンズ、特に網膜黄斑コンタクトレンズ、又は光コヒーレンス断層撮影法（ＯＣＴ）システムなどの特定の処置に特有の他の構成要素を含み得る。プロセッサは、存在する場合、２次元又は３次元ＯＣＴ画像を作成してその画像をデジタルディスプレイに表示するか又はその画像をディスプレイに挿入するためのＯＣＴデータの分析など、これらのより特有の構成要素に関連する機能を実行するようにさらにプログラムすることができる。
【００１７】
一実施形態では、反射インバータ１３０は、図２に示されるように、シュミット・ペシャン型（Ｓｃｈｍｉｄｔ−Ｐｅｃｈａｎ）プリズム反射インバータ１３０ａを含み得る。シュミット・ペシャン型プリズム反射インバータ１３０ａに入る光ビームは、光路１１０ａに沿って進む。このプロセスにおいて、光ビームに含まれる任意の画像は、図に「Ｒ」の文字で示されているように反転される。
【００１８】
シュミット・ペシャン型プリズム反射インバータ１３０ａは、一般的に図２に示されるように、互いに対して配置された２つのプリズム２１０及び２２０から作製され得る。シュミット・ペシャン型プリズム構成は、他の多くの反転プリズム構成とは異なり、機械的に安定しており、眼科手術用顕微鏡１００に取り付けた後、顕微鏡をいずれかの方向にぐらつかせたり傾けたりする傾向はない。さらに、眼科手術用顕微鏡１００内の光路１１０は、眼１０の画像に焦点が合う前に長く伸び過ぎることが多い。眼科手術用顕微鏡１００のスタック高さ１５０が長くなりすぎないように、眼１０から接眼レンズ又はアイピース１４０までの全光路１１０を短縮するためにリダクションレンズが現在よく使用されている。シュミット・ペシャン型プリズムを含む反射インバータ１３０ａは、プリズムの短い全長Ｌ内に比較的長い内部光路１１０ａを有するので、長い光路１１０は、高すぎるスタック高さ１５０なしで眼科手術用顕微鏡１００に受け入れられることができる。シュミット・ペシャン型プリズムは、シュミット・ペシャン型プリズムの外側の光路１１０の長さを少なくとも２０％、少なくとも３０％、少なくとも４０％、又は少なくとも５０％効果的に短縮し得る。
【００１９】
反射インバータ１３０ａ内のシュミット・ペシャン型プリズムは、図２の光路１１０ａによって示されるように、内部入射角で光を内部で反射する。各内部入射角が９０度以下であるため、可視波長（３９０〜７００ｎｍ）内の入射光の少なくとも９８％の内部反射、可視波長内の入射光の少なくとも９９％の内部反射、可視波長内の入射光の少なくとも９９．５％の内部反射、可視波長内の入射光の少なくとも９９．９％の内部反射、又は可視波長内の入射光の１００％の内部反射（全内部反射と呼ばれる）さえを実現することが可能であり得る。この内部反射は、眼科手術用顕微鏡１００の視野全体、又は視野の少なくとも８０％、少なくとも９０％、少なくとも９５％、又は少なくとも９９％のものであり得る。
【００２０】
反射インバータ１３０ａ内のシュミット・ペシャン型プリズムは、可視波長において高いアッベ数を有する、ガラスなど、可視波長に対して透過性の材料から作製することもできる。Ｖ番号とも呼ばれるアッベ数は、材料の分散性、すなわち波長に対する屈折率の変化の尺度である。特に、材料は、少なくとも４０、少なくとも４５、少なくとも５０、又は少なくとも６０のアッベ数を有し得る。材料がフリントガラスである場合、それは５０と５５の間のアッベ数を有し得る。材料がクラウンガラスである場合、それは５０と８５の間のアッベ数を有し得る。
【００２１】
反射インバータ１３０ａ内のシュミット・ペシャン型プリズムは、可視波長において高い反射指数を同じく有する、ガラスなど、可視波長に対して透過性の材料から作製することもできる。反射指数は、どの程度の速さで光が真空中と比較して材料を通って伝搬するかを表し、式ｎ＝ｃ／ｖを使用して求められ、式中、ｎは反射指数、ｃは光の速度、ｖは材料中の光の位相速度である。特に、材料は、少なくとも１．４０、少なくとも１．４５、又は少なくとも１．５０の反射指数を有し得る。材料がフリントガラスである場合、それは約１．５２など、少なくとも１．５０の反射指数を有し得る。材料がクラウンガラスである場合、それは１．４５と２．００の間の反射指数を有し得る。
【００２２】
さらに、ミラー／反転レンズ反射インバータ１３０ａ内のシュミット・ペシャン型プリズムは、光路１１０ａに沿って反射インバータ１３０ａを通過する可視波長内の光の任意の偏光を維持し得る。
【００２３】
一実施形態では、反射インバータ１３０は、図３に示される反射インバータ１３０ｂであり得る。反射インバータ１３０ｂは、図示の直角プリズムミラー３１０などの直角反射器を含む。２つの反射面を互いに直角で含み且つ図３に示す反射インバータ１３０ｂの他の構成要素に対して適切な位置で含む他の物体を、直角プリズムミラー３１０の代わりに使用することもできる。光路１１０ｂに沿って進む光は、直角プリズムミラー３１０の第１の面に当たり、第１の反転レンズ３２０ａに反射され、その後、第１の反射器３２０ｃに当たる。光は、第１の反射器３２０ｃに第１の入射角で当たり、第１の反射器３２０ｃから、第１の入射角に対して９０°である角度で反射される。次に、第１の反射器３２０ｃから反射された光は、第２の反射器３２０ｄに当たる。光は、第２の入射角で第２の反射器３２０ｄに当たり、第２の入射角に対して９０°である角度で第２の反射器３２０ｄから反射される。第２の反射器３２０ｄは同様に、第２の入射角に対して９０°である角度で光を反射する。次に、光は第２の反転レンズ３２０ｂに当たる。次に、第２の反転レンズ３２０ｂによって透過された光は、直角プリズムミラー３１０の第２の反射面に当たり、光が直角プリズムミラー３１０の第１の反射面に当たった方向と同一直線上の方向に光路に沿って反射される。
【００２４】
反転レンズ３２０ａ及び３２０ｂを通って進む間に、光に含まれる画像は、図４に示されるように反転される。（図３に示すように）２つ又はそれ以上の反射器を追加して、ビームを望むように向け直し、反転画像を形成することができる。
【００２５】
直角プリズムミラー３１０並びに反転レンズ３２０ａ及び３２０ｂを通る光路１１０ａの部分は典型的に短いので、それは眼科手術用顕微鏡１００内の全光路１１０を著しく短縮しない。したがって、リダクションレンズ３４０をさらに含めることができ、これは固定可能である、又は焦点位置を変えるように選択的に位置決め可能であり得、その結果、眼１０の一部を焦点が合った状態で見ることができるようにする。リダクションレンズ３４０は、両凹レンズ、両凸レンズ、凸凹レンズ、平凹レンズ、平凸レンズ、正／負メニスカスレンズ、非球面レンズ、収束レンズ、発散レンズ、液晶レンズ、回折レンズ、他の適切なレンズ、及びそれらの任意の組み合わせなど、１つ又は複数の光学部品を含むことができる。
【００２６】
リダクションレンズ３４０は、光路１１０の長さを少なくとも２０％、少なくとも３０％、少なくとも４０％、又は少なくとも５０％短縮し得る。
【００２７】
接眼レンズ又はアイピース１４０に近いリダクションレンズ３４０の縁部と、直角プリズムミラー又は第１の反転レンズ３２０ａの、リダクションレンズ３４０から遠い方、すなわちリダクションレンズ３４０から最も遠い縁部との間の全長Ｌは、眼科手術用顕微鏡１００のスタック高さが長すぎないようなものであり得る。
【００２８】
直角プリズムミラー又は他の直角反射器は、両面で、可視波長内の入射光の少なくとも９０％、少なくとも９５％、少なくとも９９％、又は少なくとも９９．９％を反射し得る。同様に、両方の反転レンズ３２０は、可視波長内の入射光の少なくとも９０％、少なくとも９５％、少なくとも９９％、又は少なくとも９９．９％を透過し得る。さらに、両方の反転レンズは、シュミット・ペシャン型プリズムについて上述したものと同じアッベ数及び反射指数を有し得、同じ材料で作ることができる。同様に、リダクションレンズ３４０は、可視波長内の入射光の場合少なくとも９０％、少なくとも９５％、少なくとも９９％、又は少なくとも９９．９％を透過し得、シュミット・ペシャン型プリズムについて上述したものと同じアッベ数及び反射指数を有し得、同じ材料から作ることができる。偏光も維持することができる。
【００２９】
本明細書に記載される眼科手術用顕微鏡１００は、眼１０の一部が拡大されるあらゆる種類の眼科手術で使用することができる。通常、倍率は５倍〜４０倍の間、特に５倍〜１５倍の間であり得る。眼科手術用顕微鏡１００は、接眼レンズ又はアイピース１４０を介して眼１０の画像を提供し得るだけでなく、他の顕微鏡構成要素又はプロセッサと結合されて、助手によって使用されるスクリーンなどのデジタル表示に同じ画像を提供し、眼１０のデジタル的に向上された画像を提供し、ＯＣＴ画像などの追加の情報、又はこれらの画像及び眼科手術を行う執刀医、任意の助手、又はその両方に提示される任意の他の画像の任意の組み合わせを提供することができる。
【００３０】
上に開示された主題は、限定的ではなく例示的であると見なされるべきであり、添付の特許請求の範囲は、本開示の真の趣旨及び範囲内にある全てのそのような修正、改良、及び他の実施形態を網羅することを意図する。したがって、法律で許可される最大限の範囲で、本開示の範囲は、以下の特許請求の範囲及びそれらの均等物の最も許容される解釈によって決定されるべきであり、前述の詳細な記載によって制限されることもなければ限定されることもない。
【図１】
2021507292.tif 000003
【図２】
2021507292.tif 000004
【図３】
2021507292.tif 000005
【図４】
2021507292.tif 000006
【国際調査報告】
2021507292.tif 000007
2021507292.tif 000008
2021507292.tif 000009